(57)【特許請求の範囲】
【請求項１】
建築物の屋根表面を形成する波形の凹凸を有する屋根材に装着する屋根外装構造において、
該屋根材の上面を覆う遮熱シートと、
該屋根材の谷部分に貼付する両面接着テープとを備え、
該遮熱シートを、該両面接着テープを介して該屋根材の谷部分に接着させることを特徴とする屋根外装構造。
【請求項２】
前記遮熱シートが、アルミ箔で形成されていることを特徴とする請求項１記載の屋根外装構造。
【請求項３】
前記遮熱シートの前記アルミ箔の下面に、樹脂製シートからなる断熱層を有することを特徴とする請求項２記載の屋根外装構造。
【請求項４】
前記遮熱シートの継ぎ目を、両面接着テープ、アルミ箔にガラスクロスを貼り合わせた基材に接着剤を塗布したアルミガラスクロステープ又はコーキング剤で接着したことを特徴とする請求項１〜請求項３のいずれかに記載の屋根外装構造。
【請求項５】
前記遮熱シートの継ぎ目の上から、アルミ箔にガラスクロスを貼り合わせた基材に接着剤を塗布したアルミガラスクロステープを接着し、該継ぎ目を密封したことを特徴とする請求項１〜請求項４のいずれかに記載の屋根外装構造。
【請求項６】
前記遮熱シートの継ぎ目であって前記屋根材の山部分に沿った該継ぎ目を、該山部分又は該山部分の近傍に配置することを特徴とする請求項４又は請求項５記載の屋根外装構造。
【請求項７】
前記遮熱シートの継ぎ目の下側に位置する該遮熱シートの継ぎ目部分端部を、両面接着テープで前記屋根材の山部分又は該山部分の近傍に接着したことを特徴とする請求項６記載の屋根外装構造。
【請求項８】
前記屋根材と前記遮熱シートの端部との境界を、アルミ箔にガラスクロスを貼り合わせた基材に接着剤を塗布したアルミガラスクロステープで接着し、該境界を密封したことを特徴とする請求項１〜請求項７のいずれかに記載の屋根外装構造。
【請求項９】
前記両面接着テープが、ポリエチレンクロスの上下面にアクリル系接着材を配置したものであることを特徴とする請求項１〜請求項８のいずれかに記載の屋根外装構造。
【請求項１０】
前記屋根材の山部分に、上方に向かってボルト状の突起があるとき、
該突起を、前記遮熱シートに貫通させ、該遮熱シートの上方に突出した該突起と該突起の周辺の該遮熱シートに、ボルトキャップを被せることを特徴とする請求項１〜請求項９のいずれかに記載の屋根外装構造。
【請求項１１】
建築物の屋根表面を形成する波形の凹凸を有する屋根材に装着する屋根外装の施工方法において、
該屋根材の谷部分に、両面接着テープを貼付し、
次に、該屋根材を遮熱シートで覆い、
該遮熱シートを、該両面接着テープを介して該屋根材に接着させることを特徴とする屋根外装の施工方法。
【請求項１２】
前記遮熱シートが、アルミ箔で形成されていることを特徴とする請求項１１記載の屋根外装の施工方法。
【請求項１３】
前記遮熱シートの前記アルミ箔の下面に、樹脂製シートからなる断熱層を有することを特徴とする請求項１２記載の屋根外装の施工方法。
【請求項１４】
前記遮熱シートの継ぎ目を、両面接着テープ、アルミ箔にガラスクロスを貼り合わせた基材に接着剤を塗布したアルミガラスクロステープ又はコーキング剤で接着することを特徴とする請求項１１〜請求項１３のいずれかに記載の屋根外装の施工方法。
【請求項１５】
前記遮熱シートの継ぎ目の上から、アルミ箔にガラスクロスを貼り合わせた基材に接着剤を塗布したアルミガラスクロステープを接着し、該継ぎ目を密封することを特徴とする請求項１１〜請求項１４のいずれかに記載の屋根外装の施工方法。
【請求項１６】
前記遮熱シートの継ぎ目であって前記屋根材の山部分に沿った該継ぎ目を、該山部分又は該山部分の近傍に配置することを特徴とする請求項１４又は請求項１５記載の屋根外装の施工方法。
【請求項１７】
前記遮熱シートの継ぎ目の下側に位置する該遮熱シートの継ぎ目部分端部を、両面接着テープで前記屋根材の山部分又は該山部分の近傍に接着したことを特徴とする請求項１６記載の屋根外装の施工方法。
【請求項１８】
前記屋根材と前記遮熱シートの端部との境界を、アルミ箔にガラスクロスを貼り合わせた基材に接着剤を塗布したアルミガラスクロステープで接着し、該境界を密封することを特徴とする請求項１１〜請求項１７のいずれかに記載の屋根外装の施工方法。
【請求項１９】
前記両面接着テープが、ポリエチレンクロスの上下面にアクリル系接着材を配置したものであることを特徴とする請求項１１〜請求項１８のいずれかに記載の屋根外装の施工方法。
【請求項２０】
前記屋根材の山部分に、上方に向かってボルト状の突起があるとき、
該突起を、前記遮熱シートに貫通させ、該遮熱シートの上方に突出した該突起と該突起の周辺の該遮熱シートに、ボルトキャップを被せることを特徴とする請求項１１〜請求項１９のいずれかに記載の屋根外装の施工方法。
【発明の詳細な説明】
【技術分野】
【０００１】
本発明は、建築物の屋根表面を形成する屋根材に装着する屋根外装構造及び屋根外装の施工方法に関する。
【背景技術】
【０００２】
従来より、例えば、特許文献１で本願出願人が提案しているように、屋根の温度上昇を防止するために屋根の上に遮熱シートを設ける屋根外装構造が提案されている。この遮熱シートを、例えば、波形の凹凸を有する屋根材である折板に貼付する場合、折板の全面に接着剤を塗布して、その上から遮熱シートを密着させて貼付していく方法が、取られている。
【先行技術文献】
【特許文献】
【０００３】
【特許文献１】特開２０１５−１４３４６７号公報
【発明の概要】
【発明が解決しようとする課題】
【０００４】
しかしながら、従来の屋根外装構造及び施工方法だと、折板屋根全体に接着剤を塗布して遮熱シートを貼付していることから、施工に手間と時間と費用を要することになり、また、接着剤は乾くまでに時間が掛かることから、施工途中で捲れ上がってしまい作業がスムーズに行かないという問題がある。さらに、遮熱シートの裏面の全体が接着されることから、貼り替え時に、古い遮熱シートを除去することが困難だという問題点もある。【０００５】
本発明は、このような事情に鑑みてなされたもので、装着が容易で、コストやメンテナンス性に優れた屋根外装構造及び屋根外装の施工方法を提供することにある。
【課題を解決するための手段】
【０００６】
請求項１記載の屋根外装構造は、屋根材の上面を覆う遮熱シートと、屋根材の谷部分に貼付する両面接着テープとを備え、遮熱シートを、両面接着テープを介して屋根材の谷部分に接着させることを特徴とする。【０００７】
請求項２記載の屋根外装構造は、遮熱シートが、アルミ箔で形成されていることを特徴とする。【０００８】
請求項３記載の屋根外装構造は、遮熱シートのアルミ箔の下面に、樹脂製シートからなる断熱層を有することを特徴とする。【０００９】
請求項４記載の屋根外装構造は、遮熱シートの継ぎ目を、両面接着テープ、アルミ箔にガラスクロスを貼り合わせた基材に接着剤を塗布したアルミガラスクロステープ又はコーキング剤で接着したことを特徴とする。【００１０】
請求項５記載の屋根外装構造は、遮熱シートの継ぎ目の上から、アルミ箔にガラスクロスを貼り合わせた基材に接着剤を塗布したアルミガラスクロステープを接着し、継ぎ目を密封したことを特徴とする。【００１１】
請求項６記載の屋根外装構造は、遮熱シートの継ぎ目であって屋根材の山部分に沿った継ぎ目を、山部分又は山部分の近傍に配置することを特徴とする。【００１２】
請求項７記載の屋根外装構造は、遮熱シートの継ぎ目の下側に位置する遮熱シートの継ぎ目部分端部を、両面接着テープで屋根材の山部分又は山部分の近傍に接着したことを特徴とする。【００１３】
請求項８記載の屋根外装構造は、屋根材と遮熱シートの端部との境界を、アルミ箔にガラスクロスを貼り合わせた基材に接着剤を塗布したアルミガラスクロステープで接着し、境界を密封したことを特徴とする。【００１４】
請求項９記載の屋根外装構造は、両面接着テープが、ポリエチレンクロスの上下面にアクリル系接着材を配置したものであることを特徴とする。【００１５】
請求項１０記載の屋根外装構造は、屋根材の山部分に、上方に向かってボルト状の突起があるとき、突起を、遮熱シートに貫通させ、遮熱シートの上方に突出した突起と突起の周辺の遮熱シートに、ボルトキャップを被せることを特徴とする。
【００１６】
請求項１１記載の屋根外装の施工方法は、屋根材の谷部分に、両面接着テープを貼付し、次に、屋根材を遮熱シートで覆い、遮熱シートを、両面接着テープを介して屋根材に接着させることを特徴とする。【００１７】
請求項１２記載の屋根外装の施工方法は、遮熱シートが、アルミ箔で形成されていることを特徴とする。【００１８】
請求項１３記載の屋根外装の施工方法は、遮熱シートのアルミ箔の下面に、樹脂製シートからなる断熱層を有することを特徴とする。【００１９】
請求項１４記載の屋根外装の施工方法は、遮熱シートの継ぎ目を、両面接着テープ、アルミ箔にガラスクロスを貼り合わせた基材に接着剤を塗布したアルミガラスクロステープ又はコーキング剤で接着することを特徴とする。【００２０】
請求項１５記載の屋根外装の施工方法は、遮熱シートの継ぎ目の上から、アルミ箔にガラスクロスを貼り合わせた基材に接着剤を塗布したアルミガラスクロステープを接着し、継ぎ目を密封することを特徴とする。【００２１】
請求項１６記載の屋根外装の施工方法は、遮熱シートの継ぎ目であって屋根材の山部分に沿った継ぎ目を、山部分又は山部分の近傍に配置することを特徴とする。【００２２】
請求項１７記載の屋根外装の施工方法は、遮熱シートの継ぎ目の下側に位置する遮熱シートの継ぎ目部分端部を、両面接着テープで屋根材の山部分又は山部分の近傍に接着したことを特徴とする。【００２３】
請求項１８記載の屋根外装の施工方法は、屋根材と遮熱シートの端部との境界を、アルミ箔にガラスクロスを貼り合わせた基材に接着剤を塗布したアルミガラスクロステープで接着し、境界を密封することを特徴とする。【００２４】
請求項１９記載の屋根外装の施工方法は、両面接着テープが、ポリエチレンクロスの上下面にアクリル系接着材を配置したものであることを特徴とする。【００２５】
請求項２０記載の屋根外装の施工方法は、屋根材の山部分に、上方に向かってボルト状の突起があるとき、突起を、遮熱シートに貫通させ、遮熱シートの上方に突出した突起と突起の周辺の遮熱シートに、ボルトキャップを被せることを特徴とする。
【発明の効果】
【００２６】
本願の発明によれば、遮熱シートを、両面接着テープを介して波形の凹凸を有する屋根材の谷部分に接着させることから、装着が容易で、コストやメンテナンス性に優れている。
【図面の簡単な説明】
【００２７】
【図１】本発明に係る第１の実施例の屋根外装の施工方法を示す説明図である。
【図２】同屋根外装の施工方法を示す説明図である。
【図３】同屋根外装の施工方法による屋根外装構造を示す説明図である。
【図４】同屋根外装の施工方法による屋根外装構造を示す説明図である。
【図５】本発明に係る第２の実施例の屋根外装の施工方法を示す説明図である。
【図６】図５のＡ−Ａ線矢視端面の一部を示す説明図である。
【図７】本発明に係る第３の実施例の屋根外装の施工方法を示す説明図である。
【発明を実施するための形態】
【００２８】
本発明における屋根外装構造は、建築物の屋根表面を形成する屋根材に装着する構造であって、屋根の温度上昇を防止するために屋根の上にシートを設ける構造についてのものである。本発明における屋根外装構造は、波形の凹凸を有する屋根材である例えば折板の上面を覆う遮熱シートと、折板の谷部分に貼付する両面接着テープとを備え、遮熱シートを、両面接着テープを介して折板４の谷部分に接着させる構造である。以下、実施例で具体的な態様を説明する。
【実施例１】
【００２９】
図１は、本発明に係る第１の実施例の屋根外装の施工方法を示す説明図である。図２は、同屋根外装の施工方法を示す説明図である。図３及び図４は、同屋根外装の施工方法による屋根外装構造を示す説明図である。【００３０】
本実施例における屋根外装構造は、建築物の屋根表面を形成する屋根材に装着する構造であって、屋根１の温度上昇を防止するために屋根の上にシートを設ける構造についてのものである。本発明における屋根外装構造は、波形の凹凸を有する屋根材である例えば折板４の上面を覆う遮熱シート１０と、折板４の谷部分４ａに貼付する両面接着テープ２０とを備え、遮熱シート１０を、両面接着テープ２０を介して折板４の谷部分４ａに接着させる構造である。【００３１】
遮熱シート１０は、表面がアルミ箔で形成されているもので、アルミ箔の下面に樹脂製シートからなる断熱層を有している。遮熱シート１０としては、特にアルミ箔の断熱層を有することが必須ではないが、遮熱シート１０の表面をアルミ箔で形成させることで、太陽からの輻射熱を抑えることができ、遮熱効果を一層高めることができる。また、遮熱シート１０のアルミ箔の下面に、樹脂製シートからなる断熱層を設けることで、遮熱効果を一層高めることができる。上述のように、遮熱シート１０を、アルミ箔のみで構成する場合、アルミ箔と樹脂シートとで構成させる場合以外にも、アルミ箔の最下面に、他のアルミ箔を有する構成にすることで（アルミ箔とアルミ箔との間に樹脂シートを設けてもよい）、冬期などに建築物の内部から放熱される輻射熱を反射することができ、冬期などに建築物を保温することが可能になる。【００３２】
また、後述する施工方法によって折板４を遮熱シート１０で覆う場合、１枚の遮熱シート１０では、建築物の屋根１全体を覆い尽くせず、実際の施工作業では、複数枚の遮熱シート１０を継ぎ合わせながら施工を行っていくことになる。この遮熱シート１０の継ぎ目の接続（接着）には、接着剤や両面接着テープを用いて用いることになるが、特に、アルミ箔にガラスクロスを貼り合わせた基材に接着剤を塗布したアルミガラスクロステープやコーキング剤を用いるのが好ましい。【００３３】
両面接着テープ２０は、各種素材のものがあるが、ポリエチレンクロスの上下面にアクリル系接着材を配置したものが好ましい。【００３４】
次に、本実施例における屋根外装の施工方法を説明する。まず、図１に示すように、屋根１の折板４の谷部分４ａに、長さ方向に沿って両面接着テープ２０を貼付する。次に、図２に示すように、折板４を覆うように、遮熱シート１０を乗せ、折板４の谷部分４ａに両面接着テープ２０で遮熱シート１０を貼り、折板４の傾斜部分４ｂの傾斜に沿って遮熱シート１０を押し当てて、折板４の凹凸に沿うように当てていく。【００３５】
折板４の山部分４ｃも同様に折板４の凹凸に沿うように遮熱シート１０を当てていくが、山部分４ｃに、上方に向かってボルト状の突起であるボルト６があるときは、ボルト６が遮熱シート１０を貫通させ、遮熱シート１０の貫通部１０ａを介して、ボルト６が遮熱シート１０の上方に突出するようにする。このようにして、遮熱シート１０を折板４の凹凸に沿うように当てつつ、両面接着テープ２０で、折板４に遮熱シート１０を貼っていく。【００３６】
図３や図４に示すように、遮熱シート１０の上方に突出した突起であるボルト６とボルト６の周辺の遮熱シート１０（貫通部１０ａの周辺）には、ボルトキャップ３０を被せるようにする。ボルトキャップ３０を被せるにあたっては、ボルトキャップ３０の内側に接着剤を塗布するようにしてもよい。【００３７】
尚、遮熱シート１０の施工において、遮熱シート１０を折板４の全面に接着していないことから、図４に示すように、折板４と遮熱シート１０との間に隙間がある部分ができる場合もある。【００３８】
以上のような本願の屋根外装構造及び屋根外装の施工方法によれば、両面接着テープ２０を介して波形の凹凸を有する屋根材である折板４の谷部分４ａに接着させることから、装着が容易で、コストやメンテナンス性に優れている。【００３９】
また、遮熱シート１０の表面が、アルミ箔で形成されていたり、また、アルミ箔の下面に、樹脂製シートからなる断熱層を有することで、遮熱性をより一層向上させることができる。【００４０】
さらに、両面接着テープ２０が、ポリエチレンクロスの上下面にアクリル系接着材を配置したものにすることで、遮熱シート１０の接着性を高めることができる。【００４１】
さらに、遮熱シート１０の継ぎ目を、アルミ箔にガラスクロスを貼り合わせた基材に接着剤を塗布したアルミガラスクロステープで接着することで、継ぎ目の接合強度を高めることができると共に、紫外線による継ぎ目の劣化を抑えることができる。尚、遮熱シート１０の継ぎ目を、アルミガラスクロステープに代えてコーキング剤を接着剤として用いて接着することで、防水性の優れた継ぎ目の接着が可能になる。【００４２】
さらに、波形の凹凸を有する屋根材である折板４の山部分４ｃに、上方に向かってボルト状の突起であるボルト６があるとき、ボルト６を、遮熱シート１０を貫通させ、遮熱シート１０の上方に突出したボルト６とボルト６の周辺の遮熱シート１０に、ボルトキャップ３０を被せるようにすると、遮熱シート１０の折板４の突起であるボルト６部分の施工が容易になると共に、突起であるボルト６部分の遮熱シート１０の補強にもなる。
【実施例２】
【００４３】
上述の施工方法においては、遮熱シート１０を折板４の谷部分４ａに両面接着テープ２０で接着する方法を説明したが、遮熱シート１０の継ぎ目や遮熱シート１０の端部の接着については、本実施例で、具体的な施工方法の例を説明する。【００４４】
図５は、本発明に係る第２の実施例の屋根外装の施工方法を示す説明図である。図６は、図５のＡ−Ａ線矢視端面の一部を示す説明図である。尚、ここで説明する折板４、遮熱シート１２，１４、両面接着テープ２０，２２及びアルミガラスクロステープ４０，４２は、上述の通りである。【００４５】
以下、図５及び図６をもとに説明する。まず、遮熱シート１２を折板４に両面接着テープ２０を用いて接着する。そして、その上から、端部１２ａと端部１４ａとが重なり合うように遮熱シート１２と遮熱シート１４とを重ね合わせていくが、そのとき、遮熱シート１２と遮熱シート１４とが重なりあう部分を、両面接着テープ２２で貼り合わせるようにする。そして、上側にくる遮熱シート１４の端部１４ａを塞ぐようにアルミガラスクロステープ４０を接着し、継ぎ目を密封するようにする。尚、両面接着テープ２２に代えて、アルミ箔にガラスクロスを貼り合わせた基材に接着剤を塗布したアルミガラスクロステープやコーキング剤を用いることも可能である。【００４６】
また、折板４と遮熱シート１２の端部１２ｂとの境界には、アルミ箔にガラスクロスを貼り合わせた基材に接着剤を塗布したアルミガラスクロステープ４２を接着し、この境界を密封するようにする。【００４７】
このように、遮熱シート１２，１４の継ぎ目の上から、アルミガラスクロステープ４０を接着し、継ぎ目を密封したり、折板４と遮熱シート１２の端部１２ｂとの境界を、アルミ箔にガラスクロスを貼り合わせた基材に接着剤を塗布したアルミガラスクロステープ４２で接着し、境界を密封することで、屋根材である折板４の防水性を高め雨漏りを防止することが可能になる。
【実施例３】
【００４８】
次に、遮熱シートの継ぎ目であって屋根材の山部分に沿った継ぎ方（継ぎ目）の例を説明する。図７は、本発明に係る第３の実施例の屋根外装の施工方法を示す説明図である。【００４９】
本実施例では、屋根材として用いる折板５０，５２，５４，５６が、谷部分５０ａ，５２ａ，５４ａ，５６ａと山部分５０ｃ，５０ｄ，５２ｄ，５４ｃ，５４ｄ，５６ｃとを、１組もつ形状のものである。そして、折板５０，５２，５４，５６のそれぞれの継ぎ合わせを、山部分５０ｃ，５０ｄ，５２ｄ，５４ｃ，５４ｄ，５６ｃをそれぞれの重ね部５０ｅ，５０ｆ，５２ｆ，５４ｅ，５４ｆ，５６ｅを嵌め合わせることで行っている。尚、本実施例における遮熱シート６０，６２，６４、両面接着テープ２０，７０，７２，７４，７６，７８及びアルミガラスクロステープ８０，８２は、上述の実施例と同様である。【００５０】
次に、本実施例における屋根外装の施工方法における遮熱シート６０，６２，６４の継ぎ方を説明する。まず、折板５０，５２，５４，５６の谷部分５０ａ，５２ａ，５４ａ，５６ａに、谷部分５０ａ，５２ａ，５４ａ，５６ａの長さ方向に沿って両面接着テープ２０を貼付することは、上述の実施例と同様である。また、折板５０，５２，５４，５６の山部分５０ｃ，５０ｄ，５２ｄ，５４ｃ，５４ｄ，５６ｃすなわち、重ね部５０ｅ，５０ｆ，５４ｅ，５６ｅの表面にも、山部分５０ｃ，５２ｄの長さ方向に沿って両面接着テープ７０，７４，７８を貼付する。【００５１】
次に、折板５２を覆うように、遮熱シート６２を乗せるが、このとき、遮熱シート６０との継ぎ目になる遮熱シート６２の端部６２ｂ（継ぎ目の下側に位置する継ぎ目部分端部）が、折板５０，５２の山部分５０ｃ，５２ｄになるように遮熱シート６２を配置する。尚、遮熱シート６２の端部６２ｂの位置は、山部分５０ｃ，５２ｄの近傍であってもよい。そして、折板５２の谷部分５２ａに両面接着テープ２０で遮熱シート６２を貼り、折板５２の傾斜部分５２ｂの傾斜に沿って遮熱シート６２を押し当てて、折板５２の凹凸に沿うように当てていく。さらに、山部分５０ｃ，５２ｄに両面接着テープ７４で遮熱シート６２の端部６２ｂを貼る。【００５２】
次に、遮熱シート６２の端部６２ｂ付近、すなわち、折板５０，５２の山部分５０ｃ，５２ｄの上側に位置する部分に、山部分５０ｃ，５２ｄの長さ方向に沿って両面接着テープ７６を貼付する。そして、遮熱シート６０の端部６０ａを、遮熱シート６２の端部６２ｂの上に被せるように配置し、遮熱シート６０と遮熱シート６２とを、端部６０ａと端部６２ｂとの部分で、重ね合わせるようにする。尚、遮熱シート６０と遮熱シート６２との繋ぎ目は、山部分５０ｃ，５２ｄの近傍であってもよい。【００５３】
そして、折板５０を覆うように、遮熱シート６０を乗せるが、このとき、遮熱シート６４との継ぎ目になる遮熱シート６０の端部６０ｂ（継ぎ目の下側に位置する継ぎ目部分端部）が、折板５０，５４の山部分５０ｄ，５４ｃになるように遮熱シート６０を配置する。尚、遮熱シート６０の端部６０ｂの位置は、山部分５０ｄ，５４ｃの近傍であってもよい。そして、折板５０の谷部分５０ａに両面接着テープ２０で遮熱シート６０を貼り、折板５０の傾斜部分５０ｂの傾斜に沿って遮熱シート６０を押し当てて、折板５０の凹凸に沿うように当てていく。さらに、山部分５０ｄ，５４ｃに両面接着テープ７０で遮熱シート６０の端部６０ｂを貼る。【００５４】
尚、遮熱シート６０と遮熱シート６２との繋ぎ目（遮熱シート６０と遮熱シート６２とが重なりあう部分）に、アルミガラスクロステープ８２を接着し、継ぎ目を密封するようにする。【００５５】
次に、遮熱シート６０の端部６０ｂ付近、すなわち、折板５０，５４の山部分５０ｄ，５４ｃの上側に位置する部分に、山部分５０ｄ，５４ｃの長さ方向に沿って両面接着テープ７２を貼付する。そして、遮熱シート６４の端部６０ｂを、遮熱シート６０の端部６０ｂの上に被せるように配置し、遮熱シート６０と遮熱シート６４とを、端部６０ｂと端部６４ａとの部分で、重ね合わせるようにする。尚、遮熱シート６０と遮熱シート６４との繋ぎ目は、山部分５０ｄ，５４ｃの近傍であってもよい。【００５６】
そして、折板５４を覆うように、遮熱シート６４を乗せるが、このとき、次の遮熱シートとの継ぎ目になる遮熱シート６４の端部６０ｂ（継ぎ目の下側に位置する継ぎ目部分端部）が、折板５４，５６の山部分５４ｄ，５６ｃになるように遮熱シート６４を配置する。尚、遮熱シート６４の端部６４ｂの位置は、山部分５４ｄ，５６ｃの近傍であってもよい。そして、折板５４の谷部分５４ａに両面接着テープ２０で遮熱シート６４を貼り、折板５４の傾斜部分５４ｂの傾斜に沿って遮熱シート６４を押し当てて、折板５４の凹凸に沿うように当てていく。さらに、山部分５４ｄ，５６ｃに両面接着テープ７８で遮熱シート６４の端部６４ｂを貼る。【００５７】
尚、遮熱シート６０と遮熱シート６４との繋ぎ目（遮熱シート６０と遮熱シート６４とが重なりあう部分）に、アルミガラスクロステープ８０を接着し、継ぎ目を密封するようにする。このように、本実施例における施工方法を繰り返していく。尚、遮熱シート６０と遮熱シート６２との継ぎ目の接着、遮熱シート６０と遮熱シート６４との継ぎ目の接着は、上述の実施例と同様に、両面接着テープ７６，７２に限らず、両面接着テープ７６，７２に代えて、アルミ箔にガラスクロスを貼り合わせた基材に接着剤を塗布したアルミガラスクロステープやコーキング剤を用いることも可能である。【００５８】
尚、本実施例では、折板５０，５２，５４，５６は、山部分５０ｃ，５０ｄ，５２ｄ，５４ｃ，５４ｄ，５６ｃをそれぞれの重ね部５０ｅ，５０ｆ，５２ｆ，５４ｅ，５４ｆ，５６ｅを嵌め合わせるものであるが、実施例１の折板４のように、１枚で谷部分４ａ、傾斜部分４ｂ及び山部分４ｃが繰り返すものであっても、遮熱シート６０，６２，６４の継ぎ方（施工方法）は、同様である。【００５９】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。【００６０】
本出願は、２０１６年６月１４日に出願された日本国特許出願特願２０１６−１１７９４５号及び２０１６年１１月１０日に出願された日本国特許出願特願２０１６−２１９３０２号に基づく。本明細書中に日本国特許出願特願２０１６−１１７９４５号及び日本国特許出願特願２０１６−２１９３０２号の明細書、特許請求の範囲、図面全体を参照として取り込むものとする。
【産業上の利用可能性】
【００６１】
以上のように、本発明によれば、装着が容易で、コストやメンテナンス性に優れた屋根外装構造及び屋根外装の施工方法を提供することができる。
【符号の説明】
【００６２】
１・・・・・・屋根
４・・・・・・折板
４ａ・・・・・谷部分
４ｂ・・・・・傾斜部分
４ｃ・・・・・山部分
６・・・・・・ボルト
１０・・・・・遮熱シート
１０ａ・・・・貫通部
１２・・・・・遮熱シート
１２ａ・・・・端部
１２ｂ・・・・端部
１４・・・・・遮熱シート
１４ａ・・・・端部
２０・・・・・両面接着テープ
２２・・・・・両面接着テープ
３０・・・・・ボルトキャップ
４０・・・・・アルミガラスクロステープ
４２・・・・・アルミガラスクロステープ
５０・・・・・折板
５０ａ・・・・谷部分
５０ｂ・・・・傾斜部分
５０ｃ・・・・山部分
５０ｄ・・・・山部分
５０ｅ・・・・重ね部
５０ｆ・・・・重ね部
５２・・・・・折板
５２ａ・・・・谷部分
５２ｂ・・・・傾斜部分
５２ｄ・・・・山部分
５２ｆ・・・・重ね部
５４・・・・・折板
５４ａ・・・・谷部分
５４ｂ・・・・傾斜部分
５４ｃ・・・・山部分
５４ｄ・・・・山部分
５４ｅ・・・・重ね部
５４ｆ・・・・重ね部
５６・・・・・折板
５６ａ・・・・谷部分
５６ｂ・・・・傾斜部分
５６ｃ・・・・山部分
５６ｅ・・・・重ね部
６０・・・・・遮熱シート
６０ａ・・・・端部
６０ｂ・・・・端部
６２・・・・・遮熱シート
６２ｂ・・・・端部
６４・・・・・遮熱シート
６４ａ・・・・端部
６４ｂ・・・・端部
７０・・・・・両面接着テープ
７２・・・・・両面接着テープ
７４・・・・・両面接着テープ
７６・・・・・両面接着テープ
７８・・・・・両面接着テープ
８０・・・・・アルミガラスクロステープ
８２・・・・・アルミガラスクロステープ
【図１】
0006598337.tif 000002
【図２】
0006598337.tif 000003
【図３】
0006598337.tif 000004
【図４】
0006598337.tif 000005
【図５】
0006598337.tif 000006
【図６】
0006598337.tif 000007
【図７】
0006598337.tif 000008